(57)【要約】【課題】  軽量化を図った軽合金製ナックルに装着され、温度上昇による予圧低下と軸受クリープを防止した車輪用軸受装置を提供する。【解決手段】  軽合金からなるナックルとハブ輪の小径段部との間に嵌合された車輪用軸受が、内周に複列の外側転走面１２ａが形成された外輪２０を備え、この外輪２０の外周に環状溝２１が形成され、この環状溝２１に耐熱性の合成樹脂からなる樹脂バンド２２が射出成形によって充填されると共に、環状溝２１の溝幅Ｌ１が、外側転走面１２ａの形成域Ｌ２よりも大きく設定されている（Ｌ１≧Ｌ２）。これにより、温度上昇時、線膨張係数の違いによりナックルが車輪用軸受以上に熱膨張しても、嵌合シメシロの低下を抑制し、予圧抜けと軸受クリープの発生を防止すると共に、少なくとも外側転走面１２ａの形成域Ｌ２が膨張するのを抑制し、外側転走面１２ａの曲率が崩れるのを防止する。【選択図】図４
2006153097.tif 000002
【特許請求の範囲】
【請求項１】
一端部に車輪取付フランジを一体に有し、この車輪取付フランジから軸方向に延びる小径段部が形成されたハブ輪と、
懸架装置を構成し、軽合金からなるナックルと前記ハブ輪の小径段部との間に嵌合された車輪用軸受とからなり、
この車輪用軸受が、内周に複列の外側転走面が形成された外輪と、この外輪に内挿され、外周に前記複列の外側転走面に対向する内側転走面がそれぞれ形成された一対の内輪と、
前記両転走面間に転動自在に収容された複列の転動体とを備え、
前記ナックルに対して前記ハブ輪が回転自在に支承された車輪用軸受装置において、
前記外輪の外周に環状溝が形成され、この環状溝に耐熱性の合成樹脂からなる樹脂バンドが射出成形によって充填されると共に、当該環状溝が、前記転動体の投影幅略中央に位置するように設定されていることを特徴とする車輪用軸受装置。
【請求項２】
前記環状溝が、少なくとも前記外側転走面の幅方向全域に形成されている請求項１に記載の車輪用軸受装置。
【請求項３】
前記外輪の外周に単一の環状溝が形成され、この環状溝が、前記複列の外側転走面を跨いで前記外輪の外周の幅中央部に形成されている請求項２に記載の車輪用軸受装置。
【請求項４】
前記樹脂バンドがポリアミド系の合成樹脂からなり、その線膨張係数が８〜１６×１０−５／℃に設定されている請求項１乃至３いずれかに記載の車輪用軸受装置。
【請求項５】
前記樹脂バンドが、成形後に研削加工により所定の外径寸法に形成されている請求項１乃至４いずれかに記載の車輪用軸受装置。
【発明の詳細な説明】
【技術分野】
【０００１】
本発明は、自動車等の車輪を、懸架装置を構成するナックルに対して回転自在に支承する車輪用軸受装置、詳しくは、軽合金製のナックルに取り付けられる車輪用軸受の改良に関するものである。
【背景技術】
【０００２】
従来の車輪用軸受装置５０は、図８に示すように、ブレーキロータ５７と共に車輪（図示せず）を固定するハブ輪５１と、そのハブ輪５１を回転自在に支持し、外輪５２および一対の内輪５３を有する車輪用軸受５４と、この車輪用軸受５４を車体（懸架装置）に支持するナックル５５と、ハブ輪５１と連結してドライブシャフト（図示せず）の動力をこのハブ輪５１に伝達する等速自在継手５６を主要部として構成している。
【０００３】
従来からこの車輪用軸受装置５０を構成する部品、特にナックル５５には、線膨張係数がハブ輪５１等と同種の可鍛鋳鉄等の鉄系金属が採用されてきたが、近年、装置の軽量化を狙ってアルミ合金やマグネシウム合金等の軽合金製のものを採用する傾向がある。しかしながら、ナックル５５をこうした軽合金で形成した場合、ナックル５５と外輪５２の線膨張係数の違いにより、例えば、走行時の温度上昇によってナックル５５と外輪５２との嵌合シメシロが少なくなったり、あるいは解放される恐れがあった。その結果、組立時の軸受予圧が維持できなくなる、所謂予圧抜けといった不具合が発生した。
【０００４】
さらに、外輪５２がクリープを起こし、焼付いたり、短寿命を誘発する恐れがあった。ここで、クリープとは、嵌合シメシロ不足や嵌合面の加工精度不良等により軸受が周方向に微動して嵌合面が鏡面化し、場合によってはかじりを伴い焼付きや溶着する現象をいう。
【０００５】
こうした問題を回避するために従来の車輪用軸受装置５０において、温度上昇時の軸受予圧を確保するために初期の予圧量を高く設定すると共に、クリープを防止するために、温度上昇時のシメシロ低下量を見込んで初期のシメシロを大きく設定していた。なお、係る先行技術は文献公知発明に係るものでないため、記載すべき先行技術文献情報はない。
【発明の開示】
【発明が解決しようとする課題】
【０００６】
しかしながら、予圧抜けを防止するために車輪用軸受５４の初期予圧量を高く設定すると、当然のことながら車輪用軸受５４に余分な荷重を常時負荷することになって軸受寿命が短くなる。また、温度変化によって予圧量が大きく変化するに伴い軸受剛性が変動し、車両の走行安定性に悪影響を及ぼす。さらには、クリープを防止するために初期のシメシロを大きく設定すると、車輪用軸受５４を圧入する時にナックル５５をかじる恐れがあるため、ナックル５５を予め加熱した状態で車輪用軸受５４を圧入する必要がある。これでは組立工数がアップしてコスト高騰を招来することになる。
【０００７】
本発明は、このような事情に鑑みてなされたもので、軽量化を図った軽合金製ナックルに装着され、温度上昇による予圧低下と軸受クリープを防止した車輪用軸受装置を提供することを目的としている。
【課題を解決するための手段】
【０００８】
係る目的を達成すべく、本発明のうち請求項１に記載の発明は、一端部に車輪取付フランジを一体に有し、この車輪取付フランジから軸方向に延びる小径段部が形成されたハブ輪と、懸架装置を構成し、軽合金からなるナックルと前記ハブ輪の小径段部との間に嵌合された車輪用軸受とからなり、この車輪用軸受が、内周に複列の外側転走面が形成された外輪と、この外輪に内挿され、外周に前記複列の外側転走面に対向する内側転走面がそれぞれ形成された一対の内輪と、前記両転走面間に転動自在に収容された複列の転動体とを備え、前記ナックルに対して前記ハブ輪が回転自在に支承された車輪用軸受装置において、前記外輪の外周に環状溝が形成され、この環状溝に耐熱性の合成樹脂からなる樹脂バンドが射出成形によって充填されると共に、当該環状溝が、前記転動体の投影幅略中央に位置するように設定されている。
【０００９】
このように、軽合金からなるナックルとハブ輪の小径段部との間に嵌合された車輪用軸受が、内周に複列の外側転走面が形成された外輪と、この外輪に内挿され、外周に前記複列の外側転走面に対向する内側転走面がそれぞれ形成された一対の内輪と、前記両転走面間に転動自在に収容された複列の転動体とを備え、ナックルに対してハブ輪が回転自在に支承された車輪用軸受装置において、前記外輪の外周に環状溝が形成され、この環状溝に耐熱性の合成樹脂からなる樹脂バンドが射出成形によって充填されると共に、当該環状溝が、転動体の投影幅略中央に位置するように設定されているので、温度上昇時、ナックルと車輪用軸受との線膨張係数の違いによりナックルが車輪用軸受以上に熱膨張したとしても、嵌合シメシロの低下を抑制し、軸受クリープの発生を防止することができると共に、初期に設定した軸受予圧が低下するのを防止することができ、軸受剛性の変動を抑えて車両の走行安定性を確実に保つことができる。
【００１０】
好ましくは、請求項２に記載の発明のように、前記環状溝が、少なくとも前記外側転走面の幅方向全域に形成されていれば、温度上昇時、環状溝に充填された樹脂バンドにより、少なくともこの外側転走面の形成域が膨張するのを抑制し、外側転走面の母線形状が崩れるのを防止することができる。したがって、初期に設定した予圧量が変化するのを防止して軸受剛性の変動を抑え、所望の耐久性を確保することができる。
【００１１】
また、請求項３に記載の発明のように、前記外輪の外周に単一の環状溝が形成され、この環状溝が、前記複列の外側転走面を跨いで前記外輪の外周の幅中央部に形成されていても良い。
【００１２】
また、請求項４に記載の発明のように、前記樹脂バンドがポリアミド系の合成樹脂からなり、その線膨張係数が８〜１６×１０−５／℃に設定されていれば、ナックルの線膨張係数よりも大きく、ナックルが車輪用軸受以上に熱膨張したとしても、この樹脂バンドがナックルの熱膨張以上に膨張してその変化に追従することができる。
【００１３】
また、請求項５に記載の発明は、前記樹脂バンドが、成形後に研削加工により所定の外径寸法に形成されているので、ナックルとのシメシロが安定し、予圧抜けと軸受クリープを一層効果的に防止することができると共に、圧入時、シメシロ過大による樹脂バンドの欠損もない。
【発明の効果】
【００１４】
本発明に係る車輪用軸受装置は、一端部に車輪取付フランジを一体に有し、この車輪取付フランジから軸方向に延びる小径段部が形成されたハブ輪と、懸架装置を構成し、軽合金からなるナックルと前記ハブ輪の小径段部との間に嵌合された車輪用軸受とからなり、この車輪用軸受が、内周に複列の外側転走面が形成された外輪と、この外輪に内挿され、外周に前記複列の外側転走面に対向する内側転走面がそれぞれ形成された一対の内輪と、前記両転走面間に転動自在に収容された複列の転動体とを備え、前記ナックルに対して前記ハブ輪が回転自在に支承された車輪用軸受装置において、前記外輪の外周に環状溝が形成され、この環状溝に耐熱性の合成樹脂からなる樹脂バンドが射出成形によって充填されると共に、当該環状溝が、転動体の投影幅略中央に位置するように設定されているので、温度上昇時、ナックルと車輪用軸受との線膨張係数の違いによりナックルが車輪用軸受以上に熱膨張したとしても、嵌合シメシロの低下を抑制し、軸受クリープの発生を防止することができると共に、初期に設定した軸受予圧が低下するのを防止することができ、軸受剛性の変動を抑えて車両の走行安定性を確実に保つことができる。
【発明を実施するための最良の形態】
【００１５】
一端部に車輪取付フランジを一体に有し、この車輪取付フランジから軸方向に延びる小径段部が形成されたハブ輪と、懸架装置を構成し、軽合金からなるナックルと前記ハブ輪の小径段部との間に嵌合された車輪用軸受とからなり、この車輪用軸受が、内周に複列の外側転走面が形成された外輪と、この外輪に内挿され、外周に前記複列の外側転走面に対向する内側転走面がそれぞれ形成された一対の内輪と、前記両転走面間に転動自在に収容された複列の転動体とを備え、前記ナックルに対して前記ハブ輪が回転自在に支承された車輪用軸受装置において、前記外輪の外周に環状溝が形成され、この環状溝に耐熱性の合成樹脂からなる樹脂バンドが射出成形によって充填されると共に、当該環状溝が、少なくとも前記外側転走面の幅方向全域に形成されている。
【実施例１】
【００１６】
以下、本発明の実施の形態を図面に基づいて詳細に説明する。
図１は、本発明に係る車輪用軸受装置の第１の実施形態を示す縦断面図、図２は、その車輪用軸受を示す縦断面図、図３は、温度変化と軸受予圧の変化の関係を示すグラフである。なお、以下の説明では、車両に組み付けた状態で、車両の外側寄りとなる側をアウトボード側（図面左側）、中央寄り側をインボード側（図面右側）という。
【００１７】
図１に示す車輪用軸受装置は、ハブ輪１と、このハブ輪１に圧入され、ナックル２に対してハブ輪１を回転自在に支承する車輪用軸受３とを主たる構成としている。ハブ輪１はＳ５３Ｃ等の炭素０．４０〜０．８０ｗｔ％を含む中炭素鋼で形成され、アウトボード側の端部に車輪ＷおよびブレーキロータＢを取り付けるための車輪取付フランジ４と、この車輪取付フランジ４から軸方向に延びる円筒状の小径段部５が形成されている。車輪取付フランジ４には車輪ＷおよびブレーキロータＢを締結するハブボルト４ａが周方向等配に植設されている。また、ハブ輪１の内周面にはトルク伝達用のセレーション（またはスプライン）６が形成されると共に、小径段部５の外周面には後述する車輪用軸受３が圧入されている。
【００１８】
ハブ輪１の小径段部５に圧入された車輪用軸受３は、等速自在継手７を構成する外側継手部材８の肩部９とハブ輪１とで挟持された状態で固定されている。外側継手部材８は、肩部９から軸方向に延びるステム部１０が一体に形成されている。このステム部１０の外周には、ハブ輪１のセレーション６に係合するセレーション（またはスプライン）１０ａとねじ部１０ｂが形成されている。そして、エンジンからのトルクが図示しないドライブシャフトおよび等速自在継手７、およびこのステム部１０のセレーション１０ａを介してハブ輪１に伝達される。
【００１９】
ここで、ステム部１０のセレーション１０ａには、軸線に対して所定の角度傾斜した捩れ角が設けられ、外側継手部材８の肩部９が車輪用軸受３に当接するまでステム部１０がハブ輪１に圧入嵌合されている。これにより、セレーション６、１０ａの嵌合部に予圧が付与され、周方向のガタが殺されている。また、ステム部１０の端部に形成されたねじ部１０ｂに固定ナット１１が所定の締付トルクで締結されることにより、所望の軸受予圧を得ることができるように設定されている。すなわち、車輪用軸受３が、ハブ輪１に対して軸受クリープを防止し、かつ所望の予圧量になるように、所定のシメシロで圧入されている。一方、ナックル２は、アルミ合金等の軽合金で形成されている。これにより、従来の鋳鉄等に比べ、剛性不足を補うために各部を肉厚に設計したとしてもその重量は半減し、軽量化が達成できる。そして、このナックル２に車輪用軸受３が所定のシメシロで圧入されている。
【００２０】
車輪用軸受３は、図２に拡大して示すように、外輪１２と、この外輪１２に内挿された一対の内輪１３、１３と、内外輪１３、１２間に収容された複列のボール１４、１４とを備えた複列アンギュラ玉軸受からなる。外輪１２はＳＵＪ２等の高炭素クロム軸受鋼からなり、内周には複列の外側転走面１２ａ、１２ａが一体に形成されている。内輪１３はＳＵＪ２等の高炭素クロム軸受鋼からなり、その外周には複列の外側転走面１２ａ、１２ａに対向する内側転走面１３ａ、１３ａが形成されている。そして、複列のボール１４、１４がこれら転走面１２ａ、１３ａ間にそれぞれ収容され、保持器１５、１５によって転動自在に保持されている。また、車輪用軸受３の端部にはシール１６、１７が装着され、軸受内部に封入された潤滑グリースの漏洩と、外部から雨水やダスト等が軸受内部に侵入するのを防止している。
【００２１】
外輪１２の外周には一対の環状溝１８、１８が形成されている。これら環状溝１８、１８は、ボール１４の投影幅略中央の位置、すなわち、複列の外側転走面１２ａ、１２ａの溝底位置にそれぞれ設定されている。これにより、最小肉厚部となる溝底域の膨張を抑制し、予圧抜けと軸受クリープを効果的に防止することができる。また、これらの環状溝１８、１８には、ＰＡ（ポリアミド）１１をベースとした耐熱性の熱可塑性合成樹脂が射出成形により充填され、樹脂バンド１９が形成されている。
【００２２】
樹脂バンド１９の材質は前記ＰＡ１１に限らず、アルミ合金等の軽合金からなるナックル２の線膨張係数（２〜２．３×１０−５／℃）よりも大きく、線膨張係数が８〜１６×１０−５／℃の範囲の合成樹脂なら良い。例えばＰＡ６６、さらにこれらの熱可塑性合成樹脂にＧＦ（グラスファイバー）等の強化繊維を１０〜３０ｗｔ％の範囲で含有させたものを例示することができる。
【００２３】
図３は、従来の車輪用軸受と本実施形態に係る車輪用軸受のそれぞれ外輪のみをアルミ合金からなるナックル２に圧入した状態で、温度変化と軸受予圧の変化、すなわち、外輪の外側転走面の寸法変化の関係を比較測定した結果を示している。この図でも明確なように、従来のものでは、温度上昇に比例してリニアに軸受予圧が低下しているが、本実施形態に係る車輪用軸受においては、軸受予圧は８０℃近傍までは漸次低下するも、それ以降は所定の予圧量を維持することが判る。
【００２４】
本実施形態はこのような構成を備えているので、温度上昇時、ナックル２と車輪用軸受３の線膨張係数の違いにより、ナックル２が車輪用軸受３以上に熱膨張したとしても、嵌合シメシロの低下を抑制し、軸受クリープの発生を防止することができると共に、初期に設定した軸受予圧が低下するのを防止することができ、軸受剛性の変動を抑えて車両の走行安定性を確実に保つことができる。
【００２５】
なお、外輪１２の環状溝１８に樹脂バンド１９が射出成形された後は、センタレス研削盤等で樹脂バンド１９の外周面が研削加工され、所定の外径寸法に形成される。これにより、ナックル２とのシメシロが安定し、予圧抜けと軸受クリープを一層効果的に防止することができると共に、圧入時、シメシロ過大により樹脂バンド１９が欠損することもない。なお、樹脂バンド１９の成形後、外輪１２の外周面と樹脂バンド１９とを一体に研削加工するようにしても良い。
【実施例２】
【００２６】
図４は、本発明に係る車輪用軸受の第２の実施形態を示す縦断面図である。本実施形態は、前述した第１の実施形態（図２）と外輪の構成のみが異なるだけで、その他同一の部品また同一の部位には同じ符号を付してその詳細な説明を省略する。
【００２７】
本実施形態では、外輪２０の外周に一対の環状溝２１、２１が形成され、これら環状溝２１、２１は、その溝幅Ｌ１が外側転走面１２ａの形成域Ｌ２よりも大きく、少なくとも外側転走面１２ａの幅方向全域にそれぞれ形成されている（Ｌ１≧Ｌ２）。これにより、温度上昇時、この環状溝２１に充填された樹脂バンド２２により、少なくともこの外側転走面１２ａの形成域Ｌ２が膨張するのを抑制し、外側転走面１２ａの曲率が崩れるのを防止することができる。したがって、初期に設定した予圧量が変化するのを防止して軸受剛性の変動を抑え、所望の耐久性を確保することができる。
【実施例３】
【００２８】
図５は、本発明に係る車輪用軸受の第３の実施形態を示す縦断面図である。本実施形態は前述した実施形態と外輪の構成のみが異なるだけで、その他同一の部品また同一の部位には同じ符号を付してその詳細な説明を省略する。
【００２９】
本実施形態では、外輪２３の外周に単一の環状溝２４が形成されている。この環状溝２４は、複列の外側転走面１２ａ、１２ａを跨いで、外輪２３の外周中央部に形成されている。そして、少なくとも複列の外側転走面１２ａ、１２ａの幅方向全域に形成されている。これにより、温度上昇時、この環状溝２４に充填された樹脂バンド２５により、すくなくともこれら複列の外側転走面１２ａ、１２ａの形成域全域に亙って膨張するのを抑制し、複列の外側転走面１２ａ、１２ａの曲率が崩れるのを防止することができる。
【実施例４】
【００３０】
図６は、本発明に係る車輪用軸受の第４の実施形態を示す縦断面図である。なお、この実施形態は、前述した実施形態と軸受の構成が異なる。
【００３１】
この車輪用軸受２６は、外輪２７と一対の内輪２８、２８と複列の円すいころ２９、２９とを備えた複列円すいころ軸受からなる。外輪２７の内周面には、テーパ状に形成された複列の外側転走面２７ａ、２７ａが一体に形成されている。一方、一対の内輪２８、２８の外周面には、外側転走面２７ａ、２７ａに対向する内側転走面２８ａ、２８ａがそれぞれ形成されている。そして、複列の円すいころ２９、２９がこれら転走面２７ａ、２８ａ間にそれぞれ収容され、内輪２８の大径側に形成された大鍔２８ｂに案内され、保持器３０、３０により転動自在に保持されている。車輪用軸受２６の端部にはシール３１、３１が装着され、軸受内部に封入された潤滑グリースの漏洩と、外部からの雨水やダスト等が軸受内部に侵入するのを防止している。
【００３２】
本実施形態では、外輪２７の外周に一対の環状溝３２、３２が形成されている。これら環状溝３２、３２は、その溝幅Ｌ３が円すいころ２９の投影幅略中央の位置、すなわち、複列の外側転走面２７ａ、２７ａの形成域Ｌ４の略中央位置にそれぞれ設定されている。これにより、前述した実施形態と同様、予圧抜けと軸受クリープを効果的に防止することができる。さらに、その溝幅Ｌ３が外側転走面２７ａの形成域Ｌ４よりも大きく、少なくとも外側転走面２７ａの幅方向全域に形成されている（Ｌ３≧Ｌ４）。これにより、温度上昇時、この環状溝３２に充填された樹脂バンド３３により、すくなくともこの外側転走面２７ａの形成域Ｌ４が膨張するのを抑制し、外側転走面２７ａの母線形状が崩れるのを防止することができる。したがって、初期に設定した予圧量が変化するのを防止して軸受剛性の変動を抑え、所望の耐久性を確保することができる。
【実施例５】
【００３３】
図７は、本発明に係る車輪用軸受の第５の実施形態を示す縦断面図である。本実施形態は前述した第４の実施形態（図６）と外輪の構成のみが異なるだけで、その他同一の部品また同一の部位には同じ符号を付してその詳細な説明を省略する。
【００３４】
本実施形態では、外輪３４の外周に単一の環状溝３５が形成されている。この環状溝３５は、複列の外側転走面２７ａ、２７ａを跨いで、外輪３４の外周中央部に形成されている。そして、少なくとも複列の外側転走面２７ａ、２７ａの幅方向全域に形成されている。これにより、温度上昇時、この環状溝３５に充填された樹脂バンド３６により、すくなくともこれら複列の外側転走面２７ａ、２７ａの形成域全域に亙って膨張するのを抑制し、複列の外側転走面２７ａ、２７ａの母線形状が崩れるのを防止することができる。
【００３５】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３６】
本発明に係る車輪用軸受装置は、懸架装置を構成するナックルが、鋼よりも線膨張係数が大きなアルミ合金等の軽合金からなる構造の車輪用軸受装置に適用できる。
【図面の簡単な説明】
【００３７】
【図１】本発明に係る車輪用軸受装置の第１の実施形態を示す縦断面図である。
【図２】同上、車輪用軸受を示す縦断面図である。
【図３】従来の車輪用軸受と本実施形態に係る車輪用軸受の温度変化と軸受予圧の変化の関係を比較測定した結果を示すグラフである。
【図４】本発明に係る車輪用軸受の第２の実施形態を示す縦断面図である。
【図５】本発明に係る車輪用軸受の第３の実施形態を示す縦断面図である。
【図６】本発明に係る車輪用軸受の第４の実施形態を示す縦断面図である。
【図７】本発明に係る車輪用軸受の第５の実施形態を示す縦断面図である。
【図８】従来の車輪用軸受装置を示す縦断面図である。
【符号の説明】
【００３８】
１・・・・・・・・・・・・・・・・・ハブ輪
２・・・・・・・・・・・・・・・・・ナックル
３、２６・・・・・・・・・・・・・・車輪用軸受
４・・・・・・・・・・・・・・・・・車輪取付フランジ
４ａ・・・・・・・・・・・・・・・・ハブボルト
５・・・・・・・・・・・・・・・・・小径段部
６、１０ａ・・・・・・・・・・・・・セレーション
７・・・・・・・・・・・・・・・・・等速自在継手
８・・・・・・・・・・・・・・・・・外側継手部材
９・・・・・・・・・・・・・・・・・肩部
１０・・・・・・・・・・・・・・・・ステム部
１０ｂ・・・・・・・・・・・・・・・ねじ部
１１・・・・・・・・・・・・・・・・固定ナット
１２、２０、２３、２７、３４・・・・外輪
１２ａ、２７ａ・・・・・・・・・・・外側転走面
１３、２８・・・・・・・・・・・・・内輪
１３ａ、２８ａ・・・・・・・・・・・内側転走面
１４・・・・・・・・・・・・・・・・ボール
１５、３０・・・・・・・・・・・・・保持器
１６、１７、３１・・・・・・・・・・シール
１８、２１、２４、３２、３５・・・・環状溝
１９、２２、２５、３３、３６・・・・樹脂バンド
２８ｂ・・・・・・・・・・・・・・・大鍔
２９・・・・・・・・・・・・・・・・円すいころ
５０・・・・・・・・・・・・・・・・車輪用軸受装置
５１・・・・・・・・・・・・・・・・ハブ輪
５２・・・・・・・・・・・・・・・・外輪
５３・・・・・・・・・・・・・・・・内輪
５４・・・・・・・・・・・・・・・・車輪用軸受
５５・・・・・・・・・・・・・・・・ナックル
５６・・・・・・・・・・・・・・・・等速自在継手
５７、Ｂ・・・・・・・・・・・・・・ブレーキロータ
Ｗ・・・・・・・・・・・・・・・・・車輪
Ｌ１、Ｌ３・・・・・・・・・・・・・環状溝の幅寸法
Ｌ２、Ｌ４・・・・・・・・・・・・・外側転走面の形成域
【図１】
2006153097.tif 000003
【図２】
2006153097.tif 000004
【図３】
2006153097.tif 000005
【図４】
2006153097.tif 000006
【図５】
2006153097.tif 000007
【図６】
2006153097.tif 000008
【図７】
2006153097.tif 000009
【図８】
2006153097.tif 000010